(57)【要約】本発明は、マット用冷水循環供給装置に関するものであり、本発明に係るマット用冷水循環供給装置は交換可能な形態で提供される蓄冷カートリッジを利用して冷水マットを通過する流体を冷却させることにより、従来の冷凍サイクルを利用した冷水循環供給装置に比べて体積が小さく、振動及び騒音が小さいことを特徴とする。
2018525205.tif 000002
【特許請求の範囲】
【請求項１】
冷水マットの配管に冷却された流体を供給及び回収するマット用冷水循環供給装置において、
前記配管の排出側端部と連結されて冷水マットから排出される流体を回収して貯蔵する貯蔵タンクと、
前記貯蔵タンクと前記配管の供給側端部との間に配置され、ジグザグ状の流体移動通路を提供する熱交換部と、
内部に蓄冷材が収容され、前記熱交換部の流体移動通路と密着配置される蓄冷カートリッジと、
前記貯蔵タンクと熱交換部との間に配置されて貯蔵タンクに収容された流体を熱交換部の流体移動通路に移動させるウォーターポンプとを含むマット用冷水循環供給装置。
【請求項２】
前記熱交換部と蓄冷カートリッジは複数設けられて、互いに交互に配置されることを特徴とする請求項１に記載のマット用冷水循環供給装置。
【請求項３】
前記熱交換部一側にはガイド溝が形成され、前記ガイド溝には熱交換部の配列方向と平行に配置されて、熱交換部の移動を案内するガイド部が挿入されることを特徴とする請求項２に記載のマット用冷水循環供給装置。
【請求項４】
前記熱交換部の一側両端部に設けられて移動通路と連結される入水部と出水部はそれぞれエルボー状に形成されて互いに対向するように配置され、前記ガイド溝は入水部と出水部との間の領域に形成されることを特徴とする請求項３に記載のマット用冷水循環供給装置。
【請求項５】
前記複数の熱交換部の移動通路は互いに連結されることを特徴とする請求項２に記載のマット用冷水循環供給装置。
【請求項６】
前記貯蔵タンクとウォーターポンプを収容する第１収容空間と、隔壁によって第１収容空間と分離されて、前記熱交換部と蓄冷カートリッジを収容する第２収容空間とが形成されたケースを含む請求項１に記載のマット用冷水循環供給装置。
【請求項７】
前記ケースの内壁面と熱交換部との間に配置されて熱交換部を加圧して支持する弾性部材をさらに含む請求項６に記載のマット用冷水循環供給装置。
【請求項８】
前記ケースの第１収容空間の内壁面には断熱材が配置されることを特徴とする請求項６に記載のマット用冷水循環供給装置。
【請求項９】
前記蓄冷カートリッジは、
内部に蓄冷材が収容される板状の正六面体カバーと、
前記カバーの内部空間に配置されて前記カバーを構成する面のうち、相対的に大面積の一対の面の中央部を連結する補強芯材とを含むことを特徴とする請求項１に記載のマット用冷水循環供給装置。
【請求項１０】
前記蓄冷材は相変化物質（ＰｈａｓｅＣｈａｎｇｅＭａｔｅｒｉａｌ、ＰＣＭ）からなることを特徴とする請求項９に記載のマット用冷水循環供給装置。
【請求項１１】
前記補強芯材は管状に形成され、前記カバーの前記一対の面には、補強芯材の内部空間を外部空間と連結する貫通孔が形成されることを特徴とする請求項９に記載のマット用冷水循環供給装置。
【請求項１２】
ウォーターポンプの駆動を制御する制御部を含むことを特徴とする請求項１〜１１の中の何れか一項に記載のマット用冷水循環供給装置。
【請求項１３】
前記制御部は、流体の温度に応じてウォーターポンプの駆動を制御するために、流体の温度を測定する温度センサと、前記ウォーターポンプの駆動周期を設定するためのタイマーとの中の少なくとも一つを含むことを特徴とする請求項１２に記載のマット用冷水循環供給装置。
【発明の詳細な説明】
【技術分野】
【０００１】
本発明はマット用冷水循環供給装置に関するものであり、より詳しくは、冷凍サイクルを利用した冷水循環供給装置に比べて体積が小さく、振動や騒音が少なくて、使用上の便宜性を向上させることができるマット用冷水循環供給装置に関するものである。
【背景技術】
【０００２】
一般に、温水マットは特許出願第１０−２００９−００２１２５９号の従来技術に開示されたように、マット本体と、温水ボイラー及び循環ホースで大きく構成される。
【０００３】
この時、前記マット本体は内側に循環ホースを収容し、温水ボイラーで加熱された温水を介して加熱されるように形成される。
【０００４】
この時、前記温水ボイラーは、内側に形成された別途のウォーターポンプと循環ホースを介して移送される水を一時的に集水して瞬間加熱させるように形成される温水槽と、前記温水槽の内側に付設されて経由する水を設定された温度に加熱されるように形成されるヒーターと、前記ヒーターの設定温度を制御したり、ウォーターポンプの運転を制御するように形成される制御装置とで大きく構成される。
【０００５】
つまり、従来の温水マットは、一般的な電気マット電熱線の代わりにマットの内部に暖房水が流れることができるホース管を埋設し、小型電気ボイラーで加熱した水をホース管（チューブ）内に循環させる方法でマットを加熱することができるように形成される。
【０００６】
しかしながら、従来には温水のみ提供して冬のみに使用される温水マットが提供されているだけで、夏に使用することができる冷水マットは全然なくて、消費者の発売要求が続いている実情である。
【０００７】
そこで、最近、冷水を温水と個別的に駆動して冷暖房を任意に選択することで駆動することができるマットが特許出願第１０−２００５−００２２３９４号に開示されているものの、このような冷水と温水供給方式は、暖房の場合、外部の別途のボイラーで水を加熱してマットの内部に供給し、これをウォーターポンプで水を循環させる方式で作動し、冷却の場合、ウォーターポンプで水を循環して、水がベッドを回ってから外部のコントロール装置を経る間に自然に熱を発散して再びマットに供給される方式で、実際に冷却される程度が少ないだけでなく、水が供給される対象であるベッドに熱源がある場合、むしろ水温が上昇して実用的な冷却効果がほとんどないという問題点が続いている実情である。
【０００８】
一方、このような問題を改善するために、冷凍サイクルを利用した冷房ユニットを適用して冷水を供給することができる冷、温水循環供給装置が韓国登録特許第１０−１４８２１５８号に開示されているが、このような冷凍サイクルを利用する方式は、装置本体で発生する熱によりマットが設置された場所の周囲温度が上昇するだけでなく、冷凍サイクルの駆動過程で騒音と振動が発生し、使用感を低下させる問題がある。
【発明の概要】
【発明が解決しようとする課題】
【０００９】
従って、本発明の目的は、このような従来の問題点を解決するためのものであり、冷水マットを通過する流体の冷却のために冷却装置に別途の冷凍サイクルを備えなくてもいいので、従来の冷凍サイクルを利用した冷水循環供給装置に比べて体積が小さく、振動及び騒音が少なくて、使用上の便宜性を向上させることができるマット用冷水循環供給装置を提供することにある。
【００１０】
また、流体が熱交換部を通過しながら蓄冷カートリッジと熱交換することができる十分な時間と面積を提供することにより、冷却性能に優れたマット用冷水循環供給装置を提供することにある。
【００１１】
また、熱交換部と蓄冷カートリッジが密着した状態を保持するようにすることにより、冷却効率を向上させることができるマット用冷水循環供給装置を提供することにある。
【課題を解決するための手段】
【００１２】
前記目的は、本発明によって、冷水マットの配管に冷却された流体を供給及び回収するマット用冷水循環供給装置において、前記配管の排出側端部と連結されて冷水マットから排出される流体を回収して貯蔵する貯蔵タンクと；前記貯蔵タンクと前記配管の供給側端部との間に配置され、ジグザグ状の流体移動通路を提供する熱交換部と、内部に蓄冷材が収容され、前記熱交換部の流体移動通路と密着配置される蓄冷カートリッジと；前記貯蔵タンクと熱交換部との間に配置されて貯蔵タンクに収容された流体を熱交換部の流体移動通路に移動させるウォーターポンプと；を含むマット用冷水循環供給装置によって達成される。
【００１３】
ここで、前記熱交換部と蓄冷カートリッジは複数設けされて、互いに交差するように配置されることが好ましい。
【００１４】
また、前記熱交換部の一側にはガイド溝が形成され、前記ガイド溝には熱交換部の配列方向と平行に配置されて、熱交換部の移動を案内するガイド部が挿入されることが好ましい。
【００１５】
また、前記熱交換部の一側両端部に設けられて移動通路と連結される入水部と出水部はそれぞれエルボー状に形成されて互いに対向するように配置され、前記ガイド溝は入水部と出水部との間の領域に形成されることが好ましい。
【００１６】
また、前記複数の熱交換部の移動通路は互いに連結されることが好ましい。
【００１７】
また、前記熱交換部と蓄冷カートリッジを収容する第１収容空間と、隔壁によって第１収容空間と分離されて前記貯蔵タンクとウォーターポンプを収容する第２収容空間とが形成されたケースを含むことが好ましい。
【００１８】
また、前記ケースの内壁面と熱交換部との間に配置されて熱交換部を加圧して支持する弾性部材をさらに含むことが好ましい。
【００１９】
また、前記ケースの第１収容空間の内壁面には断熱材が配置されることが好ましい。
【００２０】
また、前記蓄冷カートリッジは、内部に蓄冷材が収容される板状の正六面体カバーと、前記カバーの内部空間に配置されて前記カバーを構成する面のうち、相対的に大面積の一対の面の中央部分を連結する補強芯材とを含むことが好ましい。
【００２１】
また、前記蓄冷材は相変化物質（ＰｈａｓｅＣｈａｎｇｅＭａｔｅｒｉａｌ、ＰＣＭ）からなることが好ましい。
【００２２】
また、前記補強芯材は管状に形成され、前記カバーの前記一対の面には補強芯材の内部空間を外部空間と連結する貫通孔が形成されることが好ましい。
【００２３】
また、ウォーターポンプの駆動を制御する制御部を含むことが好ましい。
【００２４】
また、前記制御部は、流体の温度に応じてウォーターポンプの駆動を制御するために流体の温度を測定する温度センサと、前記ウォーターポンプの駆動周期を設定するためのタイマーとのうちの少なくともいずれか一つを含むことが好ましい。
【発明の効果】
【００２５】
本発明によれば、冷水マットを通過する流体の冷却のために冷却装置に別途の冷凍サイクルを備えなくてもいいので、従来の冷凍サイクルを利用した冷水循環供給装置に比べて体積が小さく、振動及び騒音が少なくて使用上の便宜性を向上させることができるマット用冷水循環供給装置が提供される。
【００２６】
また、流体が熱交換部を通過しながら蓄冷カートリッジと熱交換することができる十分な時間と面積を提供することにより、冷却性能に優れたマット用冷水循環供給装置が提供される。
【００２７】
また、熱交換部と蓄冷カートリッジが密着した状態を保持するようにすることにより、冷却効率を向上させることができるマット用冷水循環供給装置が提供される。
【図面の簡単な説明】
【００２８】
【図１】本発明のマット用冷水循環供給装置を用いた冷水マットの概略構成図である。
【図２】本発明のマット用冷水循環供給装置の斜視図である。
【図３】本発明のマット用冷水循環供給装置の斜視図である。
【図４】本発明のマット用冷水循環供給装置による熱交換部の抜粋斜視図である。
【図５】本発明のマット用冷水循環供給装置による蓄冷カートリッジの抜粋斜視図である。
【図６】本発明のマット用冷水循環供給装置の平面構成図である。
【図７】図６のＡ−Ａ`線断面図である。
【図８】図６のＢ−Ｂ`線断面図である。
【図９】本発明のマット用冷水循環供給装置の蓄冷カートリッジを交換する状態を示す断面図である。
【発明を実施するための形態】
【００２９】
本発明は、冷水マットの配管に冷却された流体を供給及び回収するマット用冷水循環供給装置において、前記配管の排出側端部と連結されて冷水マットから排出される流体を回収して貯蔵する貯蔵タンクと；前記貯蔵タンクと前記配管の供給側端部との間に配置され、ジグザグ状の流体移動通路を提供する熱交換部と、内部に蓄冷材が収容され、前記熱交換部の流体移動通路と密着配置される蓄冷カートリッジと；前記貯蔵タンクと熱交換部との間に配置されて貯蔵タンクに収容された流体を熱交換部の流体移動通路に移動させるウォーターポンプとを含むマット用冷水循環供給装置を特徴とする。
【００３０】
説明に先立ち、複数の実施例において、同一の構成を有する構成要素については同じ符号を用いて代表的に第１実施例で説明し、その他の実施例では、第１実施例と異なる構成について説明することにする。
【００３１】
以下、添付した図面を参照して、本発明の第１実施形態に係るマット用冷水循環供給装置について詳細に説明する。
【００３２】
添付図面において、図１は本発明のマット用冷水循環供給装置を用いた冷水マットの概略構成図であり、図２及び図３は本発明のマット用冷水循環供給装置の斜視図であり、図４は本発明のマット用冷水循環供給装置による熱交換部の抜粋斜視図であり、図５は本発明のマット用冷水循環供給装置による蓄冷カートリッジの抜粋斜視図である。
【００３３】
前記図面で示すような本発明におけるマット用冷水循環供給装置は、冷水マットＭの配管Ｐに冷却された流体を供給及び回収するものであり、ケース１１０と、貯蔵タンク１２０と、熱交換部１３０と、蓄冷カートリッジ１４０と、ウォーターポンプ１５０と制御部１６０とを含んで構成される。
【００３４】
前記ケース１１０は、熱交換部１３０及び蓄冷カートリッジ１４０を収容する第１収容空間１１１と、第１隔壁１１４により第１収容空間１１１と分離され、前記貯蔵タンク１２０及びウォーターポンプ１５０を収容する第２収容空間１１２と、第２隔壁１１５により第１収容空間１１１及び第２収容空間１１２と分離されて制御部１６０を収容する第３収容空間１１３とが形成され、前記ケース１１０の第１収容空間１１１の内壁面には断熱材１１６が配置される。一方、前記ケース１１０は、第１収容空間１１１と第２収容空間１１２及び第３収容空間１１３を覆うカバー１１７を備えることができる。一方、前記ケース１１０の内壁面と熱交換部１３０との間には、一側がケース１１０の内壁面に支持され、他側が熱交換部１３０に支持される弾性部材１１８を介在して熱交換部１３０が蓄冷カートリッジ１４０と密着する方向に加圧することにより、蓄冷カートリッジ１４０と熱交換部１３０の熱交換効率を向上させることができる。このような弾性部材１１８は板バネや複数のコイルスプリングなどが適用されることができ、第１方向に収縮膨張しながら熱交換部１３０を加圧することができる他の形態の弾性体が適用されることも可能である。
【００３５】
前記貯蔵タンク１２０は第１隔壁１１４と第２隔壁１１５により第１収容空間１１１と第３収容空間１１３から分離された第２収容空間１１２に収容されるもので、内部には冷水マットＭから排出される流体を回収して貯蔵する貯蔵空間が設けられ、一側には、前記貯蔵空間と前記冷水マットＭの配管Ｐの排出側端部Ｐ２と連結される流入管１２１が形成され、上側には前記貯蔵空間に流体を補充するために選択的に開閉することができる注入口１２２が設けられる。
【００３６】
前記熱交換部１３０は、前記貯蔵タンク１２０と前記冷水マットＭの配管Ｐの供給側端部Ｐ１との間に配置されて内部を通過する流体が蓄冷カートリッジ１４０によって冷却されるものであり、複数設けられて、前記ケース１１０の第１収容空間１１１内に第１方向に並んで離隔して配置される。熱交換部１３０の内部には、ジグザグ状の流体移動通路１３１が形成され、一側上端と下端には前記流体移動通路１３１の両端に連結されるエルボー状の入水部１３２と出水部１３３が互いに対向する形態で配置される。前記入水部１３２と出水部１３３との間の領域にはガイド溝が形成され、前記ガイド溝には第１方向に配置されて熱交換部１３０の第１方向への移動を案内するガイド部１３５が挿入される。ここで、前記ガイド溝は、第１方向に配置されるガイド部１３５が挿入された状態で、第１方向に移動することができる空間を意味するもので、本実施例では、互いに対向するエルボー状の入水部１３２と出水部１３３によってガイド溝が提供されることを例に挙げて説明したが、熱交換部１３０の一側にガイド部１３５を収容することができる収容溝の形態で構成したり、ガイド部１３５の上端と下端を囲むリング状に構成することも可能である。
【００３７】
また、前記複数設けられる熱交換部１３０の移動通路１３１は隣接する熱交換部１３０の出水部１３３と入水部１３２とを連結する連結配管によって互いに連結され、先端部に配置される熱交換部１３０の入水部１３２は連結配管を通じて貯蔵タンク１２０と連結され、末端に配置される熱交換部１３０の出水部１３３は連結配管を通じて冷水マットＭの配管Ｐの供給側端部Ｐ１に連結される。
【００３８】
一方、本実施例では、板状の正六面体の内部に複数の隔壁がジグザグ状に配置されて移動経路を形成することを例に挙げて説明したが、これに限定されるのではなく、熱交換効率を向上させるための様々な形態で構成することも可能である。併せて、流体移動経路の断面積は熱交換部１３０と貯蔵タンク１２０とを連結する配管Ｐの断面積に対応するように形成することが好ましい。
【００３９】
前記蓄冷カートリッジ１４０は、図５の（ａ）に示すように、内部に蓄冷材が収容されて、複数設けられ、前記熱交換部１３０と交互に配置されて熱交換部１３０と密着されるものであり、内部に蓄冷材が収容される板状の正六面体の硬質カバー１４１と、前記カバー１４１の内部空間に配置されて前記カバー１４１を構成する面のうち、相対的に大面積の一対の面の中央部分を連結する補強芯材１４２とを含み、前記蓄冷材は相変化物質（ＰｈａｓｅＣｈａｎｇｅＭａｔｅｒｉａｌ、ＰＣＭ）からなることができる。
【００４０】
また、図５の（ｂ）に示すように、蓄冷カートリッジ１４０`は、補強芯材１４２`が管状に形成され、カバー１４１の補強芯材１４２`によって連結される一対の面には、補強芯材１４２`の内部空間と外部空間とを連結する貫通孔１４３が形成された形態からなることができる。このように蓄冷カートリッジ１４０`の貫通孔１４３を形成する場合には、蓄冷カートリッジ１４０`を別途の冷凍庫に入れて冷凍する過程で蓄冷材が冷気と接触する面積が増加するので、冷凍時間を短縮することができる。
【００４１】
本実施例では、４つの熱交換部１３０の間の離隔空間にそれぞれ蓄冷カートリッジ１４０が挿入されることを例に挙げて説明したが、熱交換部１３０と蓄冷カートリッジ１４０の配置順序や数は冷水マットＭの面積や使用環境に応じて調整することができる。
【００４２】
前記ウォーターポンプ１５０は、前記貯蔵タンク１２０と熱交換部１３０との間に配置されて貯蔵タンク１２０に収容された流体を熱交換部１３０の流体移動通路１３１に移動させるもので、９Ｖ〜１２Ｖ直流電源によって駆動することができるように構成して感電事故の危険性を最小化することができる。一方、本実施例では、ウォーターポンプ１５０が貯蔵タンク１２０の内部貯蔵空間に配置されることを例に挙げて説明したが、必要に応じて別の場所に配置することも可能である。
【００４３】
前記制御部１６０は、前記ケース１１０の第３収容空間１１３に配置されてウォーターポンプ１５０の駆動を制御するものであり、前記貯蔵タンク１２０に貯蔵された流体の温度を測定する温度センサと、前記ウォーターポンプ１５０の駆動周期を設定するためのタイマーと、前記貯蔵タンク１２０に貯蔵された流体の水位を測定する水位センサーとの中の少なくともいずれか一つを含むことができる。
【００４４】
以下では、上述したマット用冷水循環供給装置の第１実施形態の動作について説明する。
【００４５】
添付図面において、図６は本発明のマット用冷水循環供給装置の平面構成図であり、図７は図６のＡ−Ａ`線断面図であり、図８は図６のＢ−Ｂ`線断面図でありであり、図９は本発明のマット用冷水循環供給装置の蓄冷カートリッジを交換する状態を示す断面図である。
【００４６】
図６に示すように、ケース１１０の第１収容空間１１１には複数の熱交換部１３０が第１方向に沿って並んで離隔配置され、前記熱交換部１３０の間の離隔空間には蓄冷カートリッジ１４０がそれぞれ挿入され、熱交換部１３０を通過する流体の熱エネルギーを蓄冷カートリッジ１４０の蓄冷材が吸熱して流体を冷却する。
【００４７】
また、前記複数の熱交換部１３０は、一側にそれぞれ設けられるガイド溝（図示せず）に挿入されるガイド部１３５に沿って第１方向への移動が案内される。従って、蓄冷カートリッジ１４０の熱変形によって熱交換部１３０と蓄冷カートリッジ１４０の密着面が離隔されて熱交換効率が低下することを防止することができる。一方、ケース１１０の内壁面と一側熱交換部１３０との間に介在される弾性部材１１８により前記熱交換部１３０と蓄冷カートリッジ１４０が互いに密着されるので、熱交換部１３０と蓄冷カートリッジ１４０の熱交換効率を向上させることができる。
【００４８】
前記ケース１１０の第１隔壁１１４により第１収容空間１１１と分離区画された第２収容空間１１２には貯蔵タンク１２０とウォーターポンプ１５０が収容され、第２隔壁１１５により第２収容空間１１２と分離区画された第３収容空間１１３には制御部１６０が収容される。前記のようにケース１１０の内部に収容されて電源が印加されるウォーターポンプ１５０と制御部１６０がそれぞれ第２収容空間１１２と第３収容空間１１３に分離して収容されるので、第１収容空間１１１から蓄冷カートリッジ１４０を着脱する過程で発生し得る感電事故の危険を最小化することができる。
【００４９】
図７及び図８に示すように、貯蔵タンク１２０は、流入管１２１を通じて冷却マットの配管Ｐの排出側端部Ｐ２と連結されて冷却マットを通過した流体が貯蔵タンク１２０の内部の貯蔵空間に流入される。貯蔵空間に貯蔵された流体は、ウォーターポンプ１５０の駆動により所定の圧力で熱交換部１３０の入水部１３２に供給され、入水部１３２に供給された流体は流体移動通路１３１を通過する過程で、熱交換部１３０の側面に密着した蓄冷カートリッジ１４０との熱交換により冷却され、冷却された流体は出水部１３３を介して冷水マットＭの配管Ｐの供給側端部Ｐ１に提供される。
【００５０】
一方、熱交換部１３０と蓄冷カートリッジ１４０は複数設けされて、互いに交互に配置され、複数の熱交換部１３０にそれぞれ設けられた流体移動通路１３１は互いに連結されるので、蓄冷カートリッジ１４０との熱交換のための時間と面積を十分に確保することができる。また、ケース１１０の第１収容空間１１１の内壁面には断熱材１１６が設けられているので、蓄冷カートリッジ１４０の冷気がケース１１０の外部に損失されることを防止することができる。
【００５１】
特に、前記ケース１１０の内壁面と熱交換部１３０との間に介在された弾性部材１１８によって熱交換部１３０が蓄冷カートリッジ１４０と密着する方向に加圧されるので、蓄冷カートリッジ１４０と熱交換部１３０の密着面が離隔されて熱交換効率が低下することを防止することができる。
【００５２】
また、複数の熱交換部１３０はガイド部１３５によって第１収容空間１１１内で第１方向に移動可能な状態で配置される。従って、蓄冷カートリッジ１４０の厚さが熱変形によって変更されても、複数の熱交換部１３０と蓄冷カートリッジ１４０との密着状態が保持されるようにすることができる。
【００５３】
ここで、制御部１６０（図６参照）を通じて前記ウォーターポンプ１５０の駆動を制御することができる。具体的には、制御部１６０は流体の温度を測定する温度センサ（図示せず）と、ウォーターポンプ１５０の駆動周期を制御するためのタイマー（図示せず）との中の少なくともいずれか一つで得られた値を利用してウォーターポンプ１５０が自動的に制御されるようにすることにより、蓄冷カートリッジ１４０の交換周期を最大に延長することができ、貯蔵タンク１２０に貯蔵された流体の水位を測定する水位センサー（図示せず）を通じて流体の補充時期を使用者に知らせるなどの機能を提供することにより使用上の便宜性を向上させることができる。
【００５４】
一方、蓄冷カートリッジ１４０の冷気がすべて消尽された場合、図９に示すように、ケース１１０からカバー１１７を除去し、第１収容空間１１１内で熱交換部１３０との間の離隔空間内に収容されていた蓄冷カートリッジ１４０を取り出した後、熱交換部１３０との間の離隔空間に別途の冷凍庫で冷凍された蓄冷カートリッジ１４０を再挿入する方式で蓄冷カートリッジ１４０を交換することができる。この時、複数の熱交換部１３０が第１方向に移動可能な状態であり、一側の熱交換部１３０とケース１１０の内壁面との間には、収縮可能な弾性部材１１８が配置されているので、熱交換部１３０の間の離隔空間を拡張させて蓄冷カートリッジ１４０の挿入と分離を容易にすることができる。
【００５５】
前述したような本実施例によれば、冷水マットを通過する流体の冷却のために冷却装置に別途の冷凍サイクルを備えなくてもいいので、従来の冷凍サイクルを利用した冷水循環供給装置に比べて体積が小さく、振動及び騒音が少なくて、使用上の便宜性を向上させることができる。
【００５６】
また、流体が熱交換部を通過しながら蓄冷カートリッジと熱交換することができる十分な時間と面積を提供することにより、冷却性能に優れ、熱交換部と蓄冷カートリッジが密着した状態を保持することにより、冷却効率を向上させることができる。
【００５７】
本発明の権利範囲は上述した実施例に限定されるのではなく、特許請求の範囲内で多様な形態の実施例に実現されることができる。特許請求の範囲で請求する本発明の要旨を逸脱することなく、当該発明が属する技術分野における通常の知識を有する者であれば、誰でも変形可能な多様な範囲まで本発明の特許請求範囲に記載の範囲内にあるものとみなす。
【図１】
2018525205.tif 000003
【図２】
2018525205.tif 000004
【図３】
2018525205.tif 000005
【図４】
2018525205.tif 000006
【図５（ａ）】
2018525205.tif 000007
【図５（ｂ）】
2018525205.tif 000008
【図６】
2018525205.tif 000009
【図７】
2018525205.tif 000010
【図８】
2018525205.tif 000011
【図９】
2018525205.tif 000012
【国際調査報告】
2018525205.tif 000013
2018525205.tif 000014
2018525205.tif 000015
2018525205.tif 000016